(57)【要約】  【課題】  用紙の両面に画像を形成することおよび用紙の片面に画像を形成する場合はフェイスダウン排出またはフェイスアップ排出が可能な画像形成装置において、安定した用紙搬送を可能とする。  【解決手段】  定着部６０から出た用紙Ｐは、用紙搬送ローラ２１とフェイスダウン搬送コロ２３によりフェイスダウン排出ローラ対７３に送られる。両面印刷を行う際は、フェイスダウン排出ローラ対７３によりスイッチバックされた用紙Ｐが用紙搬送ローラ２１と反転用紙搬送コロ２４により反転用紙搬送路７４に送られる。フェイスアップトレイ１３を開くと、用紙ガイド２２は回転方向が反転せしめられた用紙搬送ローラ２１とその下方に移動した反転用紙搬送コロ２４との間に用紙Ｐを誘導し、用紙Ｐはフェイスアップトレイ２１に排出される。【選択図】      図１
2006076667.tif 000002
【特許請求の範囲】
【請求項１】
本体と、この本体内に設けられた画像形成部および定着部と、この定着部の用紙搬送方向下流に設けられた用紙搬送ローラと、この用紙搬送ローラに接触して回転せしめられるフェイスダウン搬送コロと、前記定着部から送られた用紙を前記用紙搬送ローラとこのフェイスダウン搬送コロとの間に誘導するために前記定着部と前記用紙搬送ローラとの間に設けられた用紙ガイドと、前記用紙搬送ローラと前記フェイスダウン搬送コロによって送られた用紙をフェイスダウン状態で受け取るべく、前記本体上面に設けられたフェイスダウントレイと、このフェイスダウントレイ上に用紙を排出する、または両面に画像を形成するため用紙をスイッチバックさせるフェイスダウン排出ローラ対と、このフェイスダウン排出ローラ対により搬送方向が切り替えられた用紙を前記画像形成部および前記定着部の下方に送り出すために、前記フェイスダウン搬送コロと反対側で前記用紙搬送ローラに接触して回転せしめられる反転用紙搬送コロとを備えた画像形成装置において、
前記本体側面に下端を中心として開閉可能に設けられたフェイスアップトレイと、このフェイスアップトレイの開閉に連動して前記用紙搬送ローラの回転方向を切り替える回転方向反転機構とを備え、前記反転用紙搬送コロは、前記フェイスアップトレイに設けられていて、前記フェイスアップトレイの開放と同時に前記用紙搬送ローラの軸線を中心として変位するものであり、前記フェイスアップトレイを開放すると、前記用紙ガイドは前記定着部から送られた用紙を前記用紙搬送ローラと前記変位した反転用紙搬送コロとの間に誘導する姿勢に変位し、前記用紙搬送ローラは前記回転方向反転機構によりその回転方向が切り替えられ、前記反転用紙搬送コロとともに前記定着部から送られた用紙を前記フェイスアップトレイ上に排出することを特徴とする画像形成装置。
【請求項２】
前記回転方向反転機構が、ギヤベースに回転可能に取り付けられた複数のギヤからなる回転方向反転ギヤ列からなり、その始端のギヤはモータの駆動が伝達されている原動ギヤと噛み合っており、前記ギヤベースは前記始端のギヤの回転軸を中心として回動可能に前記本体に取り付けられているものであり、
前記フェイスアップトレイが閉じている時には前記回転方向反転ギヤ列を構成するギヤの１個が前記用紙搬送ローラの軸に取り付けられたローラ駆動ギヤと噛み合って、前記用紙搬送ローラに用紙を前記フェイスダウントレイ方向に搬送する方向の回転を伝え、前記フェイスアップトレイが開くと前記ギヤベースが回動して前記ローラ駆動ギヤに前記回転方向反転ギヤ列の別のギヤが噛み合い、前記用紙搬送ローラに用紙を前記フェイスアップトレイ方向に搬送する方向の回転を伝えることを特徴とする請求項１に記載の画像形成装置。
【発明の詳細な説明】
【技術分野】
【０００１】
本発明は、用紙の両面に画像を形成することが可能であり、かつ用紙の一方の面に画像を形成する場合はフェイスダウン排出またはフェイスアップ排出が可能な画像形成装置に関する。
【背景技術】
【０００２】
画像形成装置においては一方の面に画像が形成された用紙を再び画像形成部に搬送することにより、用紙の両面に画像を形成できるようにしたものが広く用いられている。
【０００３】
一方、用紙の一方の面にのみ画像を形成する画像形成装置においては、排出された用紙が文書の順序通りになるようにするため、用紙の画像が形成された面を下にして排出するフェイスダウン排出が一般的である。しかし、フェイスダウン排出では用紙が搬送される際に曲率の大きな経路を通ることが多く、厚手の用紙を使用する場合は用紙にしわが生じることがあった。これに対処するため、用紙の通る経路を直線的にし、画像が形成された面を上にして排出するフェイスアップ排出が可能とした画像形成装置も広く用いられている。
【０００４】
以上の用紙の両面への画像形成機能とフェイスアップ排出機能とを兼ね備えた画像形成装置が、特許文献１に提案されている。
【特許文献１】特開２００２−１０４７０７号公報（第５頁−第７頁、図１、図２）
【発明の開示】
【発明が解決しようとする課題】
【０００５】
しかし特許文献１で提案された画像形成装置では、１組の搬送ローラ対でフェイスダウン排紙およびフェイスアップ排紙の両方を行っている。フェイスアップ排紙を行うために、この搬送ローラ対の用紙搬送方向は略水平方向である。そのため、上方へ向かうフェイスダウン排紙用の用紙搬送路は用紙が折れ曲がらないようにしなければならず、用紙搬送路にはこの搬送ローラの出口からある程度の水平区間または大きな曲率半径の曲線区間を設ける必要があり、結果として画像形成装置の水平方向の寸法が大きくなることとなる。
【０００６】
さらに、用紙の両面に画像を形成する場合には、一方の面に画像が形成された用紙が搬送される反転経路において、用紙をスイッチバックさせる排出ローラから反転用紙搬送ローラ対までの間には用紙を支持、搬送するローラがない。そのため、短尺の用紙では反転経路において排出ローラにも反転用紙搬送ローラ対にも支持されない状態となり、うまく搬送されない可能性がある。
【０００７】
そこで、本発明においては、用紙の両面に画像を形成することが可能であり、かつ用紙の一方の面に画像を形成する場合はフェイスダウン排出またはフェイスアップ排出が可能な画像形成装置において、１本のローラとそれに接触する２本のコロからなる簡単な構成で装置の水平方向の寸法を小さくすることを可能にし、また、短尺の用紙でも安定して用紙を搬送できる画像形成装置を提供することを目的とする。
【課題を解決するための手段】
【０００８】
（１）上記目的を達成するために本発明に係る画像形成装置は、本体と、この本体内に設けられた画像形成部および定着部と、この定着部の用紙搬送方向下流に設けられた用紙搬送ローラと、この用紙搬送ローラに接触して回転せしめられるフェイスダウン搬送コロと、前記定着部から送られた用紙を前記用紙搬送ローラとこのフェイスダウン搬送コロとの間に誘導するために前記定着部と前記用紙搬送ローラとの間に設けられた用紙ガイドと、前記用紙搬送ローラと前記フェイスダウン搬送コロによって送られた用紙をフェイスダウン状態で受け取るべく、前記本体上面に設けられたフェイスダウントレイと、このフェイスダウントレイ上に用紙を排出する、または両面に画像を形成するため用紙をスイッチバックさせるフェイスダウン排出ローラ対と、このフェイスダウン排出ローラ対により搬送方向が切り替えられた用紙を前記画像形成部および前記定着部の下方に送り出すために、前記フェイスダウン搬送コロと反対側で前記用紙搬送ローラに接触して回転せしめられる反転用紙搬送コロとを備えた画像形成装置において、前記本体側面に下端を中心として開閉可能に設けられたフェイスアップトレイと、このフェイスアップトレイの開閉に連動して前記用紙搬送ローラの回転方向を切り替える回転方向反転機構とを備え、前記反転用紙搬送コロは、前記フェイスアップトレイに設けられていて、前記フェイスアップトレイの開放と同時に前記用紙搬送ローラの軸線を中心として変位するものであり、前記フェイスアップトレイを開放すると、前記用紙ガイドは前記定着部から送られた用紙を前記用紙搬送ローラと前記変位した反転用紙搬送コロとの間に誘導する姿勢に変位し、前記用紙搬送ローラは前記回転方向反転機構によりその回転方向が切り替えられ、前記反転用紙搬送コロとともに前記定着部から送られた用紙を前記フェイスアップトレイ上に排出することを特徴とする。
【０００９】
この構成によると、フェイスダウン排出をする場合には、定着部から用紙ガイドに誘導されて送られた用紙を、用紙搬送ローラとフェイスダウン搬送コロによってフェイスダウントレイ方向に送り出し、フェイスダウン排出ローラ対によりフェイスダウントレイ上に用紙を排出すればよい。用紙搬送ローラとフェイスダウン搬送コロが用紙を送り出す方向は、斜め上方を向いているため、その後の用紙搬送経路はほぼ垂直にすることができ、特許文献１のような水平区間または外曲率半径の曲線区間が不要であるため、装置の水平方向の寸法を小さくすることができる。また、用紙の両面に画像を形成する場合には、同様にしてフェイスダウントレイ方向に送り出された用紙をフェイスダウン排出ローラ対によりスイッチバックさせて、用紙搬送ローラと反転用紙搬送コロにより定着部の下方に送り出し、再度画像形成部および定着部に搬送し、画像が形成されていない面に画像を形成させればよい。このとき、フェイスダウン排出ローラ対から定着部の下方までの間に反転用紙搬送コロがあるため、短尺の用紙でも確実に搬送することができる。さらにフェイスアップ排出をする場合には、フェイスアップトレイを開放することで、反転用紙搬送コロを用紙搬送ローラの下方に変位させ、用紙ガイドを用紙搬送ローラと反転用紙搬送コロのなすニップに用紙を誘導する姿勢に変位させ、さらに回転方向反転機構により用紙搬送ローラの回転方向を反転させる。これにより、用紙搬送ローラと反転用紙搬送コロが用紙を送り出す方向はほぼ水平かつフェイスアップトレイ方向となり、用紙ガイドによりフェイスダウン排出ローラ方向に向かうことなく、用紙は確実に定着部から折れ曲がることなくフェイスアップトレイ上に画像が形成された面を上にして排出される。このように、１本の駆動力のかかるローラと、それに接触する２本のコロと、ローラの回転方向を反転させる回転方向反転機構により、フェイスダウン排出用のローラ対とフェイスアップ排出用のローラ対とを別にすることで、装置を小型化することと、用紙をフェイスダウントレイ方向に搬送することと、用紙の両面に画像を形成する場合に用紙を定着部の下方に安定して搬送することと、用紙をフェイスアップトレイに搬送することとが可能となる。
【００１０】
（２）また本発明は、上記構成の画像形成装置において、前記回転方向反転機構が、ギヤベースに回転可能に取り付けられた複数のギヤからなる回転方向反転ギヤ列からなり、その始端のギヤはモータの駆動が伝達されている原動ギヤと噛み合っており、前記ギヤベースは前記始端のギヤの回転軸を中心として回動可能に前記本体に取り付けられているものであり、前記フェイスアップトレイが閉じている時には前記回転方向反転ギヤ列を構成するギヤの１個が前記用紙搬送ローラの軸に取り付けられたローラ駆動ギヤと噛み合って、前記用紙搬送ローラに用紙を前記フェイスダウントレイ方向に搬送する方向の回転を伝え、前記フェイスアップトレイが開くと前記ギヤベースが回動して前記ローラ駆動ギヤに前記回転方向反転ギヤ列の別のギヤが噛み合い、前記用紙搬送ローラに用紙を前記フェイスアップトレイ方向に搬送する方向の回転を伝えることを特徴とする。
【００１１】
この構成によると、回転方向反転機構はフェイスアップトレイの開閉と連動するギヤベースに取り付けられた複数のギヤからなる簡単な構成で実現できる。また、原動ギヤは一定方向に回転していさえすればよいため、画像形成部や定着部などのギヤ列から駆動力を取り出すことができる。
【発明の効果】
【００１２】
本発明によると、フェイスダウン排出と、フェイスアップ排出と、用紙の両面への画像形成とに係る用紙の搬送が、１本の駆動力のかかるローラと、それに接触する２本のコロと、回転方向反転機構により安定して行うことができる。また、回転方向反転機構は、本体およびギヤベースに取り付けられた複数のギヤからなる簡単な構成で実現でき、付勢手段および係合部によりフェイスアップトレイの動作と容易に連動させることができる。
【発明を実施するための最良の形態】
【００１３】
本発明の実施形態を図１〜５を用いて説明する。図１は本発明の実施形態に係る画像形成装置であるプリンタ１０の概略構成図、図２は閉じた状態のフェイスアップトレイ１３周辺の部分拡大図、図３は開いた状態のフェイスアップトレイ１３周辺の部分拡大図、図４はフェイスアップトレイ１３が閉じた状態での回転方向反転機構３０の概略構成図、図５はフェイスアップトレイ１３が開いた状態での回転方向反転機構３０の概略構成図である。
【００１４】
プリンタ１０は、本体１１の上面にはフェイスダウントレイ１２、右側面には開閉可能な手差し給紙トレイ４４、左側面には開閉可能なフェイスアップトレイ１３が設けられている。また、本体１１の右側面および内部の下部には給紙部４０が備えられ、内部の中段には画像形成部５０、定着部６０および用紙搬送方向切り替え部２０が、内部の上部には画像形成動作や用紙搬送動作を制御する制御装置９０が備えられている。
【００１５】
まず給紙部４０について説明する。給紙部４０は本体１１に内蔵されている給紙カセット４１、給紙ローラ４２および給紙ローラ４３と、右側面に備えられた手差し給紙トレイ４４からなる。給紙カセット４１は用紙Ｐを収容するものであり、本体１１の下部に配設される。給紙カセット４１に収容された用紙Ｐは給紙ローラ４２により１枚ずつ用紙搬送路７１へ送り出され、搬送ローラ対群７２によって搬送される。また、手差し給紙トレイ４４は下部の支軸により開閉可能に本体１１に支持されている。図１に実線で示す、開いた状態の手差し給紙トレイ４４に用紙Ｐを載置しておくことにより、給紙カセット４１の用紙Ｐと同様に用紙Ｐは給紙ローラ４３により１枚ずつ用紙搬送路７１へ送り出され、複数の搬送ローラ対７２によって搬送される。搬送ローラ対７２を構成するローラの一方は従動コロであってもよい。
【００１６】
次に画像形成部５０について説明する。画像形成部５０は、感光体ドラム５１と、その周囲に配設された帯電器５２、光走査ユニット５３、現像器５４、転写ローラ５５およびクリーニング器５６とを備える。使用者が、本体１１に直接またはネットワークを経由して接続された図示しない外部コンピュータから画像形成の指示を出すと制御装置９０が指示を受け、感光体ドラム５１は図１において時計回りに回転し、まず帯電器５２により感光体ドラム５１の表面は均一に帯電される。次に、光走査ユニット５３から感光体ドラム５１の表面にレーザ光が照射されて、用紙Ｐに形成される画像の部分又は前記画像以外の部分に相当する電荷が消去され、感光体ドラム５１の表面に静電潜像が形成される。そして現像器５４によって感光体ドラム５１上の静電潜像にトナーが供給され静電潜像が顕像化する。
【００１７】
感光体ドラム５１がさらに回転し、トナー画像が転写ローラ５５と対向する位置に来たときに、それに合わせて、感光体ドラム５１と転写ローラ５５との間に用紙Ｐが搬送されてくる。このとき転写ローラ５５に、トナーの帯電極性と逆極性の電圧が印加されることにより、感光体ドラム５１上のトナー画像が用紙Ｐ上に転写される。感光体ドラム５１上の転写されなかった残留トナーはクリーニング器５６によって感光体ドラム５１上から除去される。一方トナー画像が転写された用紙Ｐは定着ローラ６１と加圧ローラ６２とが圧接してなる定着部６０に搬送され、ここでトナー画像は加熱・加圧されて用紙Ｐに定着する。
【００１８】
続いて用紙搬送方向切り替え部２０について説明する。用紙搬送方向切り替え部２０は、定着部６０から送られた用紙Ｐの搬送方向をフェイスダウントレイ方向またはフェイスアップトレイ方向に切り替えるものであり、かつ用紙Ｐの両面に画像を形成する場合には用紙Ｐを反転用紙搬送路７４に送るものである。
【００１９】
用紙搬送方向切り替え部２０は、用紙搬送ローラ２１、用紙ガイド２２、フェイスダウン搬送コロ２３、反転用紙搬送コロ２４および回転方向反転機構３０を備える。図１、図２において回転方向反転機構３０は図示していないが、これについては後述する。用紙搬送ローラ２１は本体１１に自由に回転するように取り付けられており、図示しないモータからの駆動力が後述する回転方向反転機構３０を通じて伝達される。用紙ガイド２２は、フェイスアップトレイ１３の側壁１３ａに両端を固定されており、フェイスアップトレイ１３の開閉動作に合わせて姿勢を変位する。フェイスダウン搬送コロ２３は、本体１１に自由に回転するように取り付けられており、用紙搬送ローラ２１と接触してニップを形成している。用紙搬送ローラ２１とフェイスダウン搬送コロ２３は、用紙を斜め上方に搬送する向きに設けられている。反転用紙搬送コロ２４は、フェイスアップトレイ１３の側壁１３ａに自由に回転するように取り付けられており、用紙搬送ローラ２１と接触してニップを形成している。用紙搬送ローラ２１と反転用紙搬送コロ２４は用紙を床面に対して垂直に搬送する向きに取り付けられている。
【００２０】
ここで、フェイスアップトレイ１３の側壁１３ａには軸穴１３ｂが設けられており、用紙搬送ローラ２１の軸が通されている。これにより、フェイスアップトレイ１３は軸穴１３ｂを軸として開閉可能に用紙搬送ローラ２１の軸に支持されている。図３に示すようにフェイスアップトレイ１３を開くと、それに合わせて反転用紙搬送コロ２４も用紙搬送ローラ２１の軸を中心として変位する。そのため、用紙搬送ローラ２１の軸と反転用紙搬送コロ２４の軸との距離はフェイスアップトレイ１３の開く角度にかかわらず一定であり、ニップの状態も同様である。また、用紙ガイド２２は、フェイスアップトレイ１３が閉じた状態では定着部６０から送られた用紙Ｐを用紙搬送ローラ２１とフェイスダウン搬送コロ２３のなすニップに向けて誘導する姿勢であるが、フェイスアップトレイ１３を開くと定着部６０から送られた用紙Ｐを用紙搬送ローラ２１と反転用紙搬送コロ２４のなすニップにむけて誘導する姿勢に変位する。
【００２１】
回転方向反転機構３０は、本体１１の背面側の壁面の内側に設けられており、図１では、用紙搬送ローラ２１などの向こう側に位置している。図４および図５は回転方向反転機構３０をプリンタ１０の正面、すなわち図１と同じ方向から見た図である。
【００２２】
回転方向反転機構３０は、図４に示すように、原動ギヤ３１と、回転方向転換ギヤ列３２と、ローラ駆動ギヤ３３と、ギヤベース３４とからなる。原動ギヤ３１は本体１１に回転可能に取り付けられており、図示しないモータからの駆動が伝えられ、図４において右回り（矢印Ａ方向）に回転するように設けられている。回転方向転換ギヤ列３２はギヤベース３５に回転可能に取り付けられた、互いに噛み合う３個の回転方向転換ギヤ３２ａ、３２ｂ、３２ｃからなり、回転方向転換ギヤ３２ａは原動ギヤ３１に噛み合っている。ギヤベース３４は、回転方向転換ギヤ３２ａの軸の取り付けられた位置を軸として回動可能に本体１１に取り付けられており、フェイスアップトレイ１３が閉じた状態では、回転方向転換ギヤ３２ｂがローラ駆動ギヤ３３と噛み合うように、軸の周りに取り付けられたねじりコイルばねなどの図示しない付勢手段により左回り（矢印Ｂ１方向）に付勢されている。ローラ駆動ギヤ３３は、用紙搬送ローラ２１とともに回転するように用紙搬送ローラ２１の軸に取り付けられている。ローラ駆動ギヤ３３は、フェイスアップトレイ１３を閉じた状態では原動ギヤ３１からの駆動力が回転方向転換ギヤ列３２により伝えられ、左回り（矢印Ｃ１方向）に回転し、これにより用紙搬送ローラ２１も左回りに回転する。
【００２３】
フェイスアップトレイ１３を開くと図５に示すように、フェイスアップトレイ１３に設けられた係合部１３ｃによりギヤベース３４が付勢手段に抗して右回り（矢印Ｂ２方向）に回動され、回転方向転換ギヤ３２ｂがローラ駆動ギヤ３３から外れ、回転方向転換ギヤ３２ｃがローラ駆動ギヤ３３と噛み合う。これにより、ローラ駆動ギヤ３３は右回り（矢印Ｃ２方向）に回転するようになり、これにより用紙搬送ローラ２１も図３のように正面から見て右回りに回転する。
【００２４】
次に用紙の搬送動作について説明する。用紙の一方の面にのみ画像を形成しその面を下にして排出する場合、すなわちフェイスダウン排出をする場合は図２のようにフェイスダウントレイ１３を閉じた状態にして、定着部６０から送り出された用紙Ｐを用紙ガイド２２により用紙搬送ローラ２１とフェイスダウン搬送コロ２３のなすニップに向けて誘導し、図１および図２において左回りに回転する用紙搬送ローラ２１およびそれに合わせて右回りに回転するフェイスダウン搬送コロ２３によりフェイスダウントレイ１２の方向に送り出し、その後フェイスダウン排出ローラ対７３によりフェイスダウントレイ１２の上に排出する。フェイスダウン排出ローラ対７３を構成するローラの一方は従動コロであってもよい。ここで、用紙搬送ローラ２１およびフェイスダウン搬送コロ２３の用紙を搬送する向きが斜め上方であるため、用紙搬送ローラ２１およびフェイスダウン搬送コロ２３からフェイスダウン排出ローラ対７３までの用紙搬送経路はほぼ垂直とすることができ、プリンタ１０を小型化することが可能である。
【００２５】
用紙の両面に画像を形成する場合は、フェイスダウン排出と同様にしてフェイスダウン排出ローラ対７３まで用紙Ｐを搬送し、用紙Ｐが用紙搬送ローラ２１およびフェイスダウン搬送コロ２３から離れてフェイスダウン排出ローラ対７３だけに支持される状態になると、フェイスダウン排出ローラ対７３の回転方向が逆になり、用紙Ｐは用紙搬送ローラ２１と反転用紙搬送コロ２４の形成するニップ部に向けて搬送される。図１および図２において左回りに回転している用紙搬送ローラ２１とそれに合わせて右回りに回転する反転用紙搬送コロ２４は用紙Ｐを画像形成部５０および定着部６０の下方の反転用紙搬送路７４に送り出す。用紙Ｐは反転用紙搬送路７４では複数の搬送ローラ対７５により、用紙搬送路７１に向けて搬送され、続いて画像の形成されていない面を感光体ドラム５１に向けて再び画像形成部５０に搬送され、画像が形成されていなかった面に画像が形成される。その後、フェイスダウン排出の場合と同様にしてフェイスダウントレイ１２の上に排出される。ここで、搬送ローラ対７５を構成するローラの一方は従動コロであってもよい。
【００２６】
用紙の一方の面にのみ画像を形成しその面を上にして排出する場合、すなわちフェイスアップ排出をする場合は、まず手でフェイスアップトレイ１３を図３に示すように開放する。それと同時に、前述したように反転用紙搬送コロ２４は用紙搬送ローラ２１の軸を中心として変位して用紙搬送ローラ２１の下方に移動し、用紙Ｐをほぼ水平にフェイスアップトレイ１３方向に搬送するようになる。また、用紙ガイド２２は定着部６０から送られた用紙Ｐを用紙搬送ローラ２１と反転用紙搬送コロ２４との間に誘導する姿勢に変位する。また、用紙搬送ローラ２１は前述のように回転方向反転機構３０により回転方向が切り替えられ、正面から見て右回りに回転するようになる。これにより、用紙Ｐは定着部６０から用紙ガイド２２により用紙搬送ローラ２１と反転用紙搬送コロ２４の間に送られ、フェイスアップトレイ１３の上に排出される。このとき、用紙Ｐを開いた状態の手差し給紙トレイ４４に載置しておくことにより、用紙Ｐの搬送される経路は直線的となり、搬送される途中で折り目やしわが発生しにくくなる。
【００２７】
以上のように、モータの駆動が伝えられる用紙搬送ローラ２１と、それに接触するフェイスダウン搬送コロ２３および反転用紙搬送コロ２４の２本のコロと、用紙搬送ローラ２１の回転方向を逆転させる回転方向反転機構３０からなる部品点数の少ない構成で、プリンタ１０の小型化が可能となり、かつフェイスダウン排出、フェイスアップ排出、用紙の両面への画像形成に係る用紙の搬送が安定して行えるようになる。特に、用紙の両面への画像形成の際には、フェイスダウン排出ローラ対７３と反転用紙搬送路７４との間に、用紙搬送ローラ２１と反転用紙搬送コロ２４があるため、短尺の用紙でも安定して搬送することができる。
【産業上の利用可能性】
【００２８】
本発明は、プリンタ、複写機、またはこれらとファクシミリなどの画像形成装置との複合機に利用することができる。
【図面の簡単な説明】
【００２９】
【図１】本発明の実施形態に係る画像形成装置であるプリンタの概略構成図
【図２】プリンタの閉じた状態のフェイスアップトレイ周辺の部分拡大図
【図３】プリンタの開いた状態のフェイスアップトレイ周辺の部分拡大図
【図４】フェイスアップトレイが閉じた状態での回転方向反転機構の概略構成図
【図５】フェイスアップトレイが開いた状態での回転方向反転機構の概略構成図
【符号の説明】
【００３０】
１１      本体
１２      フェイスダウントレイ
１３      フェイスアップトレイ
１３ｃ    係合部
２０      用紙搬送方向切り替え部
２１      用紙搬送ローラ
２２      用紙ガイド
２３      フェイスダウン搬送コロ
２４      反転用紙搬送コロ
３０      回転方向反転機構
３１      駆動伝達ギヤ
３２      回転方向転換ギヤ列
３２ａ    回転方向転換ギヤ
３２ｂ    回転方向転換ギヤ
３２ｃ    回転方向転換ギヤ
３３      ローラ駆動ギヤ
３４      ギヤベース
６０      定着部
７３      フェイスダウン排出ローラ対
【図１】
2006076667.tif 000003
【図２】
2006076667.tif 000004
【図３】
2006076667.tif 000005
【図４】
2006076667.tif 000006
【図５】
2006076667.tif 000007